(57)【要約】      （修正有）【課題】靴底全体に及ぶ範囲の換気を可能とし、靴内に残存していた空気量に対して十分な比率の空気量が入れ替わるような換気を可能とする靴を提供する。【解決手段】靴中敷１１０とクッション層１２０と靴中底１３０と靴底１４０を備えた構成とし、靴中敷１１０には拇指球に当接する箇所を含む靴の前方部分において上下に貫通した靴中敷通気孔１１１を設ける。クッション層１２０には靴中敷通気孔と通じ少なくとも足先から土踏まず部分まで前後に通じる前後方向通気路１２１を設ける。靴中底１３０には土踏まずの位置に相当する箇所を含む靴の後方部分で上下に貫通した靴中底通気孔１３１を設ける。靴底１４０には後方部分で上下に貫通した靴底通気孔１４１を設ける。靴中敷通気孔１１１と前後方向通気路１２１が靴内部の前方部分で連通し、前後方向通気路１２１と靴中底通気孔１３１と靴底通気孔１４１が靴の後方部分で連通する。【選択図】図１
0003196573.tif 000002
【実用新案登録請求の範囲】
【請求項１】
拇指球に当接する箇所を含む靴内部の前方部分において上下に貫通した靴中敷通気孔を備えた靴中敷と、
前記靴中敷通気孔と通じ、少なくとも足先から土踏まず部分まで前後に通じる前後方向通気路を含むクッション層と、
土踏まずの位置に相当する箇所を含む前記靴内部の後方部分において上下に貫通した靴底通気孔を備えた靴底と、
靴アッパーを備え、
前記靴中敷通気孔と前記前後方向通気路とが前記靴内部の前方部分において連通し、前記前後方向通気路と前記靴底通気孔とが前記靴内部の後方部分において連通した構造となっており、利用者の歩行運動に合わせて、前記靴中敷−前記クッション層−前記靴底に通じる上下方向の換気と、前記クッション層の足先付近から土踏まず付近にかけた前後方向の換気を同時に実現したことを特徴とする換気機能を備えた靴。
【請求項２】
拇指球に当接する箇所を含む靴内部の前方部分において上下に貫通した靴中敷通気孔を備えた靴中敷と、
前記靴中敷通気孔と通じ、少なくとも足先から土踏まず部分まで前後に通じる前後方向通気路を含むクッション層と、
土踏まずの位置に相当する箇所を含む前記靴内部の後方部分において上下に貫通した靴中底通気孔を備えた靴中底と、
土踏まずの位置に相当する箇所を含む前記靴内部の後方部分において上下に貫通した靴底通気孔を備えた靴底と、
靴アッパーを備え、
前記靴中敷通気孔と前記前後方向通気路とが前記靴内部の前方部分において連通し、前記前後方向通気路と前記靴中底通気孔と前記靴底通気孔とが前記靴内部の後方部分において連通した構造となっており、利用者の歩行運動に合わせて、前記靴中敷−前記クッション層−前記靴中底−前記靴底に通じる上下方向の換気と、前記クッション層の足先付近から土踏まず付近にかけた前後方向の換気を同時に実現したことを特徴とする換気機能を備えた靴。
【請求項３】
前記前後方向通気路として、つま先から土踏まず付近にかけて、少なくとも、中央を通過する通気路、内足側を通過する通気路、外足側を通過する通気路の３つのルートの通気路が設けられていることを特徴とする請求項１または２に記載の換気機能を備えた靴。
【請求項４】
前記靴底通気孔の開口を覆い、雨水の逆侵入を防止する雨水防止体を設けたことを特徴とする請求項１から３のいずれか１項に記載の換気機能を備えた靴。
【考案の詳細な説明】
【技術分野】
【０００１】
本考案は、ハイヒール、パンプス、サンダルなどの女性用靴、紳士靴、運動靴など多様な靴に関する。特に、靴内部の通気性を確保して換気機能を備えた靴に関する。
【背景技術】
【０００２】
靴の使用において良く指摘される問題の一つに靴の中の蒸れがある。足の発汗によって靴内部に湿気が滞留して蒸れてしまうのである。靴の中が蒸れると使用者に様々な問題を引き起こしてしまう。例えば、足の不快感が増すという問題がある。また、靴の中に雑菌が繁殖してしまい悪臭の原因となることもある。さらに使用者の足指などに白癬菌が繁殖しやすい環境となってしまいいわゆる水虫の症状が進行する場合もあり得る。もちろん湿気や雑菌の繁殖により靴の劣化を進めてしまうこともある。これら諸問題を防ぐためには、靴内部の通気性を良くすることが有効である。そこで、通気性を確保せしめた靴が幾つか提案されている。
【０００３】
例えば、特許文献１の靴では、図５に示すように、靴底の一部をくりぬいて凹部が形成され、凹部から靴底の側面に通じる通気溝が形成された構造となっている。凹部に溜まった湿気は、歩行時の体重移動による靴底面の撓りや歪みという形状の変化に起因する凹部内の気圧変化によって側面の通気溝から排出される仕組みとなっている。この歩行の体重移動に基づく靴の形状変化によって引き起こされる吸気・排気を“歩行によるポンプ作用”と呼ぶことがある。
【０００４】
次に、特許文献２の靴では、図６に示すように、靴底の上面に凹部が形成され底面に横溝が形成されており、この横溝は靴底側面の通気孔と連通している。この凹部の中にブロック体が仕込まれており、ブロック体の上面が靴底上面よりも上方に突出していた構造となっている。このブロック体には縦孔があり、靴内部と連通している。ブロック体に体重がかかると縦孔が変形し、通気孔との間で空気が出入りして換気できるものとなっている。
【０００５】
このように、従来の換気機能を有する靴は、その基本構造として、靴の側面等に外気と通じる通気孔を持たせ、この通気孔と連通する形で靴底内部に凹部を設けて空気溜まりを形成しておき、利用者の歩行による体重移動でその凹部の形状を変形させて気圧の変化を生じせしめ、その気圧変化で通気孔を介した外気との換気を行うというものが基本である。
【０００６】
【特許文献１】特開平０３−２３６８０１号公報
【特許文献２】特開２００６−３２０６５７号公報
【考案の開示】
【考案が解決しようとする課題】
【０００７】
しかし、上記従来の換気機能を有する靴には以下の問題があった。
第１の問題は、換気範囲が狭い点である。特許文献１や特許文献２に示したように、通気孔が側面などに設けられ、その側面の通気孔と凹部との間で空気が出入りするだけであり、靴全体の換気という訳ではなかった。つまり換気が行われて新鮮な外気が導入される個所は靴の中の一部に留まり、靴全体に新鮮な外気を行き渡らせる構造とはなっていなかった。
【０００８】
第２の問題は、換気能力が不十分であった点である。従来技術においていわゆる“歩行によるポンプ作用”を用いて喚起するが、凹部と通気孔の間のいわゆる“直線的な”空気の出入りであり、換気量自体は確保されても、上記したように換気される範囲が限定的であったため、靴内に残存していた空気に対して入れ替わる空気量の比率で言えば決して十分な換気量が確保されている訳ではなかった。もし、従来技術において、換気量を十分確保しようとすると、靴側面の通気孔をきわめて多数設ける必要があり、凹部の範囲も靴底の全面に及ぶものとする必要があるところ、そのようにすると靴全体が上下に伸縮して陥没するような不安定な感覚を覚えることともなりかねない。
【０００９】
そこで、本考案は、上記問題に鑑みてなされたものであり、従来技術では不十分であった換気範囲について、靴底全体に及ぶ範囲の換気を可能とする靴を提供することを目的とする。また、従来技術では不十分であった換気能力についても、靴内に残存していた空気量に対して十分な比率の空気量が入れ替わるような換気を可能とする靴を提供することを目的とする。
【課題を解決するための手段】
【００１０】
上記目的を達成するため、本考案の換気機能を備えた靴は、拇指球に当接する箇所を含む靴内部の前方部分において上下に貫通した靴中敷通気孔を備えた靴中敷と、前記靴中敷通気孔と通じ、少なくとも足先から土踏まず部分まで前後に通じる前後方向通気路を含むクッション層と、土踏まずの位置に相当する箇所を含む前記靴内部の後方部分において上下に貫通した靴中底通気孔を備えた靴中底と、土踏まずの位置に相当する箇所を含む前記靴内部の後方部分において上下に貫通した靴底通気孔を備えた靴底と、靴アッパーを備え、前記靴中敷通気孔と前記前後方向通気路とが前記靴内部の前方部分において連通し、前記前後方向通気路と前記靴中底通気孔と前記靴底通気孔とが前記靴内部の後方部分において連通した構造となっており、利用者の歩行運動に合わせて、前記靴中敷−前記クッション層−前記靴中底−前記靴底に通じる上下方向の換気と、前記クッション層の足先付近から土踏まず付近にかけた前後方向の換気を同時に実現したことを特徴とする換気機能を備えた靴である。
【００１１】
上記構成により、本考案の換気機能を備えた靴の内部において、足に直接面する靴中敷から靴の底面外にまで通じる上下方向の換気の流れと、足先付近から土踏まず付近にかけた前後方向の換気の流れを同時に実現するために、靴底全体に及ぶ範囲の換気を可能とし、また、十分な比率の空気量が入れ替わるような換気能力を可能とする靴となる。従来技術であれば、体重移動を利用しながらも、１か所しかない凹部に対して体重が掛かる時と体重が掛からなくなった場合のいわゆる上下動のポンプ作用しかなかった。しかし、本発明では、母指球付近と、土踏まず付近の２か所において上下動のポンプ作用を利用する。歩行は、体重が母指球に掛かる前掛かりの体重の状態と、体重が踵にかかる後ろ掛かりの体重の状態を繰り返しながら前に移動するが、母指球付近と土踏まず付近の２か所のポンプ作用を連動させるように起こし、両者間も前後方向通気路を介して連通しているため、換気は靴全体の範囲に及び、その換気量も十分な量が確保されるものとなっている。
【００１２】
なお、靴中底を省略した構成、または、靴中底をクッション層と一体化した構成、または靴中底と靴底を一体化した構成も可能である。この場合、上記構成から靴中底を省略したものとなる。
【００１３】
次に、前後方向通気路の形状は限定されないが、靴全体の面にわたって通気が確保されることが好ましい。そこで、つま先から土踏まず付近にかけて、少なくとも、中央を通過する通気路、内足側を通過する通気路、外足側を通過する通気路の３つのルートの通気路が設けられていることが好ましい。
このように水平面内での通気が広い範囲で確保されておれば、靴内の蒸れを効果的に防止することができる。
【００１４】
次に、外界から雨水が逆進入しない工夫について述べる。本発明の靴では水平方向の換気のみならず上下方向の換気も可能とし、靴底に外気と通じる通気孔が確保されている。そのため、雨水が靴内部に逆流しないように対策を施しておくことが好ましい。そこで、靴底通気孔の開口縁を覆い、雨水の逆侵入を防止する雨水防止体を設けた構造とする。雨水をシャットダウンするために単に開口を塞ぐようなものを設ければ換気能力が低下する。そこで、靴内部との間で空気の出入りは確保される一方外界からの雨水の侵入は防止するものが好ましい。一例としては靴底通気孔の開口縁を覆うようなフード状の雨水防止体を設けることにより、空気の出入りは阻害することなく、雨水の侵入を有効に防止せしめることができる。
【考案の効果】
【００１５】
本考案にかかる換気機能を備えた靴によれば、足に直接面する靴中敷から靴の底面外にまで通じる上下方向の換気の流れと、足先付近から土踏まず付近にかけた前後方向の換気の流れを同時に実現するために、靴底全体に及ぶ範囲の換気を可能とし、また、十分な比率の空気量が入れ替わるような換気能力を発揮することができる。
【図面の簡単な説明】
【００１６】
【図１】本考案の実施例１に係る換気機能を備えた靴１００の構造を簡単に示す図である。
【図２】本考案の実施例１に係る換気機能を備えた靴１００による換気の流れを簡単に説明する図である（その１）。
【図３】本考案の実施例１に係る換気機能を備えた靴１００による換気の流れを簡単に説明する図である（その２）。
【図４】本考案の実施例２に係る換気機能を備えた靴１００ａの構造を簡単に示す図である。
【図５】従来技術（特開平０３−２３６８０１号公報）に開示された内容を示す図である。
【図６】従来技術（特開２００６−３２０６５７号公報）に開示された内容を示す図である。
【考案を実施するための最良の形態】
【００１７】
以下、図面を参照しつつ、本考案の換気機能を備えた靴の実施例を説明する。ただし、本考案の範囲は以下の実施例に示した具体的な用途、形状、個数などには限定されないことは言うまでもない。
ここでは、婦人靴への適用を例として説明するが、紳士靴や運動靴であっても同様に適用することができる。
以下、実施例１として換気機能を備えた靴の基本構成を述べる。実施例２として雨水防止体を設けた構成例を説明する。
【実施例１】
【００１８】
実施例１として、本考案の換気機能を備えた靴の基本構成について説明する。
図１は本考案の実施例１に係る換気機能を備えた靴１００の構造を簡単に示す図である。婦人靴の例となっている。図１（ａ）は全体の外形、図１（ｂ）は靴アッパー体１５０を除く各パーツの分解図となっている。
図２から図３は、実施例１に係る換気機能を備えた靴１００による換気の流れを簡単に説明する図である。
【００１９】
図１に示すように、換気機能を備えた靴１００は、靴中敷１１０、クッション層１２０、靴中底１３０、靴底１４０、靴アッパー体１５０を備えたものとなっている。
靴中敷１１０、クッション層１２０、靴中底１３０のそれぞれは、一つのシート材から構成することも、複数層のシート材を貼り合せて構成することも適宜設計変更可能な事項である。
【００２０】
なお、上記構成は、靴中敷１１０クッション層１２０と靴底１４０の３層に加え、靴中底１３０も設けた４層構造となっている例として説明するが、靴中底１３０を省略した構成、または、靴中底１３０をクッション層１２０と一体化した構成、または靴中底１３０と靴底１４０を一体化した構成も可能である。この場合、上記構成から靴中底１３０を省略したものとなる。
【００２１】
靴中敷１１０は、靴底を形成する部分のうち最上層に位置するものであり、利用者の足と直接当接する部分である。
靴中敷１１０の素材は、限定されないが、良く用いられる素材としては、布、革、コルク、または熱可塑性ゴムなどの表面に布や革を貼り付けたものでもよい。
靴中敷１１０は、拇指球に当接する箇所を含む足裏前方部分において上面から底面に上下に貫通した靴中敷通気孔１１１を備えている。
【００２２】
靴中敷通気孔１１１は、貫通孔であれば形状は限定されない。この例では円形に孔が穿たれているものとする。その径は通気を可能とするものであれば良いが、例えば、０．０１ｍｍから１ｍ程度の範囲として設けることができる。
靴中敷通気孔１１１は、例えば、目打ちや針材による穿通で設ければ良いが、相当する通気径が確保できておればメッシュ構造であっても良い。
後述するように、靴中敷通気孔１１１が貫通孔となっており下方に位置する前後方向通気路１２１の一部と連通している。この点については後述する。
【００２３】
次に、クッション層１２０を説明する。
クッション層１２０は、薄手であるが弾性復元力に優れ、利用者が踏んだ場合の踏み心地が良くなるように工夫するものである。例えば、スポンジ、ポリウレタン発泡素材、シリコン系素材、ゲル系素材、ポリオレフィン系素材、ポリエチレン系素材、スチレン樹脂等などがある。ウレタンフォームや非発泡のウレタン樹脂を利用する場合には、シリコン樹脂、スチレン樹脂などの樹脂や後述する発泡ゴムなどを利用する場合と比較して一般的には相対的に軽いので、履物を相対的に軽量とすることができる。このクッション層は使用感を良くするために柔らかい素材とする必要があるが、柔らか過ぎると足が靴内で不安定になることもある。一例であるが、硬度としてはＪＩＳＫ６２５３準拠のタイプＡデュロメータで測定した場合にＡ１０〜４０／Ｓの範囲とすることができる。クッション層１２０は網目構造を有した多孔質体とすることができ、例えば孔径２０〜１００μｍ、空孔率が例えば２５〜４０％のもので良い。
【００２４】
クッション層１２０には、前後方向通気路１２１が設けられている。前後方向通気路１２１は少なくとも足先から土踏まず部分まで前後に通じる通気路であり、空気を靴の前後方向（つま先から踵）に広範囲に換気できるものが好ましい。靴の前後方向に通気路が確保されておればその形状などは限定されないが、水平方向において靴全体にわたって換気できることが好ましい。そこで、前後方向通気路１２１として、この例では、つま先から土踏まず付近にかけて、中央を通過する通気路１２１ａ、内足側を通過する通気路１２１ｂ、外足側を通過する通気路１２１ｃの３つのルートの通気路が設けられている。また、それぞれの通気路１２１ａ、通気路１２１ｂ、通気路１２１ｃの間をつなぐ橋梁部分を設けることも好ましい。
後述するように、クッション層１２０は、靴内部の前方部分において上面で靴中敷通気孔１１１と連通しており、靴内部の後方部分において下面で靴中底通気孔１３１および靴底通気孔１４１と連通している。この点については後述する。
【００２５】
次に、靴中底１３０について説明する。
靴中底１３０は、靴底１４０の上面に設けるものであり、クッション層１２０との間に挿入された中間層である。クッション層１２０はスポンジのような柔らかい層を前提としており、靴底１４０は地面に直接触れる部材としてある程度硬い層を前提としている。その界面にあたる部分に中間層を設けることにより両者の接着性が良くなりまた安定性が増す。
【００２６】
靴中底１３０は、靴中敷１１０やクッション層１２０と比較して相対的に硬い弾性材料が良い。例えば、ウレタンフォーム、非発泡のウレタン樹脂、シリコン樹脂、スチレン樹脂などが挙げられる。ウレタンフォームや非発泡のウレタン樹脂を利用する場合には、シリコン樹脂、スチレン樹脂などの樹脂や後述する発泡ゴムなどを利用する場合と比較して一般的には相対的に軽いので、履物を相対的に軽量とすることができる。この靴中底まで柔らかくすると靴全体が柔らかくなり過ぎ、歩行安定性や保型性に欠けるからである。逆に硬過ぎるとクッション性に欠け、使用感が悪くなる。一例であるが、硬度としては、ＪＩＳＫ６２５３準拠のタイプＡデュロメータで測定した場合にＡ２０〜６０／Ｓの範囲とすることができる。ただし、クッション層１２０よりも硬度を大きく、靴底１４０よりも硬度を小さくするのが適当である。靴中底１３０がクッション層１２０よりも硬いものであれば歩行安定性や保型性が創出される。
【００２７】
本考案では、靴中底１３０には、土踏まずの位置に相当する箇所を含む靴内部の後方部分において、上下に貫通した靴中底通気孔１３１を備えた構成となっている。
靴中底通気孔１３１の上面にはクッション層１２０の前後方向通気路１２１が存在しており、靴中底通気孔１３１と前後方向通気路１２１が連通した構成となっており、上下方向に通気性が確保された構成となっている。
【００２８】
次に、靴底１４０を説明する。
靴底１４０は、たとえば、合成ゴムや天然ゴム等のゴム素材などがある。地面に接する部分であるため、ある程度の硬度が必要である。硬すぎる場合はいわゆるグリップ力が弱くなり、滑りやすくなる傾向がある。また、柔らかすぎる場合はいわゆる靴全体が柔らかくなり過ぎ、歩行安定性や保型性に欠けることもある。一例であるが、硬度としては、ＪＩＳＫ６２５３準拠のタイプＡデュロメータで測定した場合にＡ４０から６０／Ｓの範囲とすることができる。オフィスビルの内部の廊下やアスファルトなど硬い地面、軟弱地面などの柔らかい地面など多様な地面があるが、地面との摩擦力、歩行時の衝撃を吸収性などの事情を総合的に考慮して、好ましい硬度を決定すれば良い。
【００２９】
本考案では、靴底１４０には、土踏まずの位置に相当する箇所を含む靴内部の後方部分において、上下に貫通した靴底通気孔１４１を備えた構成となっている。
靴底通気孔１４１の上面には、靴中底通気孔１３１を介して、クッション層１２０の前後方向通気路１２１が存在しており、靴底通気孔１４１と前後方向通気路１２１とが連通した構成となっており、上下方向に通気性が確保された構造となっている。
【００３０】
次に、上記構成の靴１００における通気について説明する。
図２は、本考案の通気性を備えた靴１００における通気の流れを簡単に示す図である。通気の流れが分かりやすいように簡単に示している。図２（ａ）は、各層の重なり具合が分かりやすいように分解図の形で示している。図２（ｂ）は通気の流れが分かりやすいように断面図として示している。
【００３１】
図２（ａ）に示すように、靴内部の空気は、上下方向への通気と前後方向への通気という２つの流れが重畳したものとなっている。上下方向の通気は、靴中敷通気孔１１１−前後方向通気路１２１−靴中底通気孔１３１−靴底通気孔１４１というルートの流れにより確保される。また、前後方向の通気はクッション層１２０内で靴全面にわたる前後方向通気路１２１により確保される。
【００３２】
図２（ｂ）は、本考案の通気性を備えた靴１００における通気の流れを断面において示した図である。各層の重なり具合が分かりやすいように中央縦断面図の形で示した図である。通気の流れが分かりやすいように、靴アッパー体１５０の図示は省略している。つまり、靴中敷１１０の上面は靴内部である。
図２（ｂ）に示すように、靴中敷１１０の前方部分（図中左側）には靴中敷通気孔１１１が多数設けられており、靴内部の空気は靴中敷１１０を容易に通過して下方へ通気し、クッション層１２０の前後方向通気路１２１に入り込む。クッション層１２０の前後方向通気路１２１は靴の前後方向に走っており、前後方向通気路１２１の前方部分に入り込んだ空気は、前後方向通気路１２１を通って靴の後方部分へと容易に移動する。つまり前後方向に通気する流れが得られる。
【００３３】
次に、図２（ｂ）に示すように、靴の後方部分に至るとその下方に靴中底１３０の靴中底通気孔１３１が位置しているので、通気は靴中底通気孔１３１へ入り込む。また、図２（ｂ）に示すように、靴中底通気孔１３１の下方には靴底１４０の靴底通気孔１４１が位置しているので通気は靴中底通気孔１３１から靴底通気孔１４１へ導かれる。靴底通気孔１４１の下方は外界に通じているため外気へ排気される。このように、靴中敷通気孔１１１−前後方向通気路１２１−靴中底通気孔１３１−靴底通気孔１４１というルートの流れにより上下方向の通気が確保される。
このように、本考案の通気性が確保された靴１００は、上下方向の通気と前後方向の通気が同時に確保されることとなる。
【００３４】
図３は、歩行に合わせた通気を簡単に説明する図である。図３は、通気の流れが分かりやすいように歩行による靴の傾きや靴内部の足の隙間などをごく簡単に示したものとなっている。
図３（ａ）に示すように、歩行のため足先を上げて踵を着けた状態では、足の拇指球を含む前方部分には余裕が生まれ、靴中敷と足の間に僅かな隙間が生じる。このように隙間が生じると気圧の関係から空気を吸引する力が生まれ、図２（ｂ）に示したように靴裏の外気から靴底通気孔１４１−靴中底通気孔１３１−前後方向通気路１２１−靴中敷通気孔１１１というルートの流れにより通気が確保される。
【００３５】
次に、図３（ｂ）に示すように、歩行のため足先を地面に着地した状態では、足の拇指球を中心に靴中敷を踏みしめることにより靴の前方部分において靴中敷と足の間にあった隙間が無くなる。このように隙間が無くなるよう踏みしめると気圧の関係から空気を押し出して排気する力が生まれ、図２（ｂ）に示したように靴中敷通気孔１１１−前後方向通気路１２１−靴中底通気孔１３１−靴底通気孔１４１というルートの流れにより通気が確保される。
このように利用者の歩行運動に合わせて、靴中敷１１０−クッション層１２０−靴中底１３０−靴底１４０に通じる上下方向の換気と、クッション層１３０の足先付近から土踏まず付近にかけた前後方向の換気を同時に実現できる。
【実施例２】
【００３６】
実施例２として、本考案の第２のタイプの換気機能を備えた靴１００ａについて説明する。
図４は本考案の実施例２に係る換気機能を備えた靴１００ａの構造を簡単に示す図である。
図４に示すように、換気機能を備えた靴１００ａは、靴中敷１１０、クッション層１２０、靴中底１３０、靴底１４０ａを備え、さらに、靴底１４０ａの靴底通気孔１４１に雨水防止体１４２が設けられた構成となっている。
【００３７】
靴中敷１１０、クッション層１２０、靴中底１３０は実施例１と同様で良いのでここでの説明は省略する。
靴底１４０ａも、雨水防止体１４２以外の基本的な構造部分は実施例１の靴底１４０と同様で良く、これらの基本部分の説明はここでは省略する。
雨水防止体１４２は、靴底通気孔１４１の開口を覆う構造物であり、雨水の逆侵入を防止するものである。
【００３８】
図４の例では、雨水防止体１４２は靴底通気孔１４１の開口縁から下方に向けて壁面を立設した構造となっている。雨水防止体１４２は開口しているため、靴底通気孔１４１の通気性は阻害されない。また、壁面構造により周囲を取り囲んでいるため、靴底通気孔１４１に対して雨水が逆流しにくい構造となっている。
【００３９】
なお、雨水防止体１４２の高さは特に限定されないが、靴の地面への接地面には届かないようにする必要がある。ハイヒールであれば、ヒール部分の高さが高く、土踏まず部分において接地面までかなり余裕があるため、例えば、１ｃｍから３ｃｍ程度でも可能である。紳士靴の場合、ヒール部分の高さによるが、土踏まず部分において接地面までの余裕が比較的小さいため、例えば、１ｃｍ程度とすることができる。
【００４０】
以上、本考案の換気機能を備えた靴の構成例における好ましい実施例を図示して説明してきたが、本考案の技術的範囲を逸脱することなく種々の変更が可能であることは理解されるであろう。
【産業上の利用可能性】
【００４１】
本考案の換気機能を備えた靴は、靴に対して広く適用することができる。例えば、ハイヒール、パンプス、サンダルなどの女性用靴、紳士靴、運動靴など多様な靴に適用可能である。
【符号の説明】
【００４２】
１００  靴
１１０  靴中敷
１１１  靴中敷通気孔
１２０  クッション層
１２１  前後方向通気路
１３０  靴中底
１３１  靴中底通気孔
１４０  靴底
１４１  靴底通気孔
１４２  雨水防止体
１５０  靴アッパー
【図３】
0003196573.tif 000003
【図５】
0003196573.tif 000004
【図６】
0003196573.tif 000005
【図１】
0003196573.tif 000006
【図２】
0003196573.tif 000007
【図４】
0003196573.tif 000008